(57)【要約】【課題】フレームの連結部が下降することで発生した撓みによって上下フレームの間を通る搬送ベルトの位置が上方向にずれたとしても、搬送ベルトが上側のフレームに接触しないようにし、搬送ベルトが弛んでも下側のフレームに接触しないようにして、搬送ベルトの傷みを防止できる紙幣搬送装置を提供する。【解決手段】遊技機島２の長手方向に架設された搬送ベルト１１の上下に配設される上下フレームと、搬送ローラ３８を備え上下フレームの側部に取り付けられる搬送ユニットと、によって形成される通路部材１４を搬送ベルト１１に沿って複数連結して、搬送ベルト１１と搬送ローラ３８との間で紙幣Ｎが搬送される紙幣搬送路１５を構成し、搬送ベルト１１の駆動により紙幣Ｎを紙幣搬送路１５に沿って搬送する紙幣搬送装置１０において、通路部材１４の連結部１４ａの近傍に、搬送ベルト１１を上下から臨むようにしてジョイントローラ５４を設ける。【選択図】図５
2008254917.tif 000002
【特許請求の範囲】
【請求項１】
両端を支持されて遊技機島の長手方向に架設された搬送ベルトの上下に配設される上側フレームおよび下側フレームと、搬送ローラを備え前記上側フレームと前記下側フレームの側部に取り付けられる搬送ユニットと、によって形成される通路部材を前記搬送ベルトに沿って複数連結することにより、前記搬送ベルトと前記搬送ローラとの間で紙幣が搬送されるようにして紙幣搬送路を構成し、前記搬送ベルトが駆動されることにより、前記紙幣を前記紙幣搬送路に沿って搬送する紙幣搬送装置において、
前記通路部材の連結部近傍に、前記搬送ベルトを上下から臨むようにして、搬送ベルトの駆動方向へ回転可能な回転部材を設けた
ことを特徴とする紙幣搬送装置。
【請求項２】
搬送ローラを備えた複数の通路部材を、両端を支持されて遊技機島の長手方向に架設された搬送ベルトに沿って連結することにより、前記搬送ベルトと前記搬送ローラとの間で紙幣が搬送されるようにして紙幣搬送路を構成し、前記搬送ベルトが駆動されることにより、前記紙幣を前記紙幣搬送路に沿って搬送する紙幣搬送装置において、
前記通路部材の連結部近傍に、前記搬送ベルトを上下から臨むようにして搬送ベルトの駆動方向へ回転可能な回転部材を設けた
ことを特徴とする紙幣搬送装置。
【請求項３】
前記回転部材と、前記回転部材を回転可能に支持する軸部材と、前記回転部材を前記軸部材に支持された状態で保持する保持部材と、を一つのユニットにした
ことを特徴とする請求項１または請求項２に記載の紙幣搬送装置。
【請求項４】
前記ユニットの前記保持部材に係合部を設けると共に、前記通路部材の前記連結部に前記係合部が係合される被係合部を設け、
前記ユニットは、前記通路部材が連結されると前記係合部が前記被係合部に係合された状態で前記通路部材に固定され、前記通路部材が連結解除されると前記係合部が前記被係合部から離脱可能とされる
ことを特徴とする請求項３に記載の紙幣搬送装置。
【請求項５】
前記ユニットが前記通路部材に取り付けられると前記保持部材の外面によって前記紙幣搬送路の路面の一部が構成され、
前記保持部材の外面には、前記紙幣が進入する先端部が前記紙幣搬送路の路面に対して凹陥され、その先端部から前記紙幣の搬送方向へ向けて凸側へ傾斜するように傾斜面が設けられている
ことを特徴とする請求項３または請求項４に記載の紙幣搬送装置。
【請求項６】
前記回転部材を、前記搬送ベルトを上下から臨むようにして設けることに代えて、前記搬送ベルトを上から臨むようにして設けた
ことを特徴とする請求項２に記載の紙幣搬送装置。
【請求項７】
前記回転部材は、前記搬送ベルトと非接触で配設されている
ことを特徴とする請求項１乃至請求項６のいずれか１項に記載の紙幣搬送装置。
【発明の詳細な説明】
【技術分野】
【０００１】
本発明は、遊技機が並設された遊技機島に設けられ、遊技客によって遊技媒体貸機などに投入された紙幣を遊技機島の側端部に配設された紙幣収納装置へ搬送する紙幣搬送装置に関する。
【背景技術】
【０００２】
遊技ホールに設置される遊技機島には、パチンコ機などの遊技機と台間玉貸機などの遊技媒体貸機が複数組並設され、各々の遊技媒体貸機に投入された紙幣は、遊技機および遊技媒体貸機の背面側に延設された紙幣搬送装置によって搬送され、遊技機島の側端部に配設された紙幣収納装置に回収されるようになっている。
【０００３】
この紙幣搬送装置は、たとえば、上下に配設される複数の搬送路部材を遊技機島の長手方向に沿って連結させ、これら上下の搬送路部材の間に丸ベルトを通し、これら搬送路部材と丸ベルトを遊技機島の幅方向に沿って挟むようにして搬送ローラを備えた搬送ローラユニットを取り付け、丸ベルトを遊技機島の長手方向に沿って駆動することにより丸ベルトと搬送ローラとの間で紙幣を遊技機島の長手方向に沿って搬送するように構成されている（たとえば、特許文献１参照）。なお、この紙幣搬送装置では、搬送路部材の下方を通る丸ベルトが弛んでも下側の支持ローラによって支持される。
【０００４】
【特許文献１】特開平５−１３２１７８号公報
【発明の開示】
【発明が解決しようとする課題】
【０００５】
しかしながら、上記の紙幣搬送装置では、搬送路部材（フレーム）の連結部が下降することにより発生した撓みによって、上下の搬送路部材の間を通る丸ベルト（搬送ベルト）の位置が上方向にずれ、丸ベルトが上側の搬送路部材に接触すると共に、丸ベルトが弛むと下側の搬送路部材に接触するので丸ベルトが傷むという問題があった。
【０００６】
また、丸ベルトが上方向にずれると搬送ローラと位置ずれするあるいは接触するので、丸ベルトによって搬送される紙幣に姿勢の乱れが生じ、紙幣詰まりを招来するという問題があった。
【０００７】
本発明は、上記の問題を解決しようとするものであり、フレームの連結部が下降することにより撓みが発生しても、上下のフレームの間を通る搬送ベルトの位置が相対的に上方向にずれて搬送ベルトが上側のフレームに接触しないようにすると共に、搬送ベルトが弛んでも下側のフレームに接触しないようにすることで、搬送ベルトが傷むことを防止できる紙幣搬送装置を提供することを目的とするものである。
【０００８】
また、フレームの連結部が下降することにより撓みが発生しても、上下のフレームの間を通る搬送ベルトの位置が相対的に上方向にずれることによる搬送ベルトと搬送ローラとの位置ずれあるいは接触を抑え、搬送ベルトが弛んでも搬送ベルトの位置が相対的に下方向にずれることによる搬送ベルトと搬送ローラとの位置ずれあるいは接触を抑え、搬送ベルトによって搬送される紙幣の姿勢の乱れを軽減することができる紙幣搬送装置を提供することを目的とするものである。
【課題を解決するための手段】
【０００９】
かかる目的を達成するための本発明の要旨とするところは、次の各項の発明に存する。
【００１０】
［１］両端を支持されて遊技機島（２）の長手方向に架設された搬送ベルト（１１）の上下に配設される上側フレーム（２０ａ）および下側フレーム（２０ｂ）と、搬送ローラ（３８）を備え前記上側フレーム（２０ａ）と前記下側フレーム（２０ｂ）の側部に取り付けられる搬送ユニット（３０）と、によって形成される通路部材（１４）を前記搬送ベルト（１１）に沿って複数連結することにより、前記搬送ベルト（１１）と前記搬送ローラ（３８）との間で紙幣（Ｎ）が搬送されるようにして紙幣搬送路（１５）を構成し、前記搬送ベルト（１１）が駆動されることにより、前記紙幣（Ｎ）を前記紙幣搬送路（１５）に沿って搬送する紙幣搬送装置（１０）において、
前記通路部材（１４）の連結部（１４ａ）近傍に、前記搬送ベルト（１１）を上下から臨むようにして、搬送ベルト（１１）の駆動方向へ回転可能な回転部材（５４）を設けた
ことを特徴とする紙幣搬送装置（１０）。
【００１１】
上記発明では、通路部材（１４）における上側フレーム（２０ａ）と下側フレーム（２０ｂ）の連結部（１４ａ）が下降することにより撓みが発生し、上側フレーム（２０ａ）と下側フレーム（２０ｂ）との間を通る搬送ベルト（１１）の位置が上方向にずれようとした場合は、搬送ベルト（１１）が上側の回転部材（５４）に接触し、直に上側フレーム（２０ａ）に接触することはなく、また搬送ベルト（１１）が弛んだ場合は下側の回転部材（５４）に接触し、直に下側フレーム（２０ｂ）に接触することがないので、搬送ベルト（１１）が傷むことはない。
【００１２】
また通路部材（１４）の連結部（１４ａ）が下降することにより発生した撓みによって、通路部材（１４）の備える搬送ローラ（３８）に対して搬送ベルト（１１）の位置が上方向にずれようとしても、搬送ベルト（１１）は上側の回転部材（５４）によって下方向に押圧されるので、搬送ベルト（１１）の上方向への位置ずれが抑制される。また搬送ベルト（１１）が弛んでも下側の回転部材（５４）に接触し、下側の回転部材（５４）によって支持されるので、搬送ベルト（１１）の下方向への位置ずれが抑制される。したがって、搬送ローラ（３８）と搬送ベルト（１１）との相対的な位置ずれが抑えられ、搬送ベルト（１１）によって搬送される紙幣（Ｎ）の姿勢の乱れを軽減することができる。
【００１３】
また搬送ベルト（１１）が搬送ローラ（３８）と非接触となるので、搬送ローラ（３８）の消耗を極力減らし搬送ローラ（３８）の寿命を延ばすことができる。
【００１４】
［２］搬送ローラ（３８）を備えた複数の通路部材（１４）を、両端を支持されて遊技機島（２）の長手方向に架設された搬送ベルト（１１）に沿って連結することにより、前記搬送ベルト（１１）と前記搬送ローラ（３８）との間で紙幣（Ｎ）が搬送されるようにして紙幣搬送路（１５）を構成し、前記搬送ベルト（１１）が駆動されることにより、前記紙幣（Ｎ）を前記紙幣搬送路（１５）に沿って搬送する紙幣搬送装置（１０）において、
前記通路部材（１４）の連結部（１４ａ）近傍に、前記搬送ベルト（１１）を上下から臨むようにして、搬送ベルト（１１）の駆動方向へ回転可能な回転部材（５４）を設けた
ことを特徴とする紙幣搬送装置（１０）。
【００１５】
上記発明では、通路部材（１４）の連結部（１４ａ）が下降することにより発生した撓みによって、通路部材（１４）の備える搬送ローラ（３８）に対して搬送ベルト（１１）の位置が上方向にずれようとしても、搬送ベルト（１１）は上側の回転部材（５４）によって下方向に押圧されるので、搬送ベルト（１１）の上方向への位置ずれが抑制される。また搬送ベルト（１１）が弛んでも下側の回転部材（５４）に接触し、下側の回転部材（５４）によって支持されるので、搬送ベルト（１１）の下方向への位置ずれが抑制される。したがって、搬送ローラ（３８）と搬送ベルト（１１）との相対的な位置ずれが抑えられ、搬送ベルト（１１）によって搬送される紙幣（Ｎ）の姿勢の乱れを軽減することができる。
【００１６】
また搬送ベルト（１１）が搬送ローラ（３８）と非接触となるので、搬送ローラ（３８）の消耗を極力減らし搬送ローラ（３８）の寿命を延ばすことができる。
【００１７】
［３］前記回転部材（５４）と、前記回転部材（５４）を回転可能に支持する軸部材（５１）と、前記回転部材（５４）を前記軸部材（５１）に支持された状態で保持する保持部材（４１ａ、４１ｂ）と、を一つのユニット（４０）にした
ことを特徴とする［１］または［２］に記載の紙幣搬送装置（１０）。
【００１８】
上記発明では、回転部材（５４）をユニット単位で通路部材（１４）に取り付けることができるため、たとえば、回転部材（５４）と軸部材（５１）とを個別に通路部材（１４）に取り付けるよりも、取付作業が容易になる。また、回転部材（５４）が摩耗して交換を行う場合なども、通路部材（１４）からユニット単位で取り外し交換することができるため、交換作業も容易になる。
【００１９】
［４］前記ユニット（４０）の前記保持部材（４１ａ、４１ｂ）に係合部（４４／４６）を設けると共に、前記通路部材（１４）の前記連結部（１４ａ）に前記係合部（４４／４６）が係合される被係合部（２４／２９）を設け、
前記ユニット（４０）は、前記通路部材（１４）が連結されると前記係合部（４４／４６）が前記被係合部（２４／２９）に係合された状態で前記通路部材（１４）に固定され、前記通路部材（１４）が連結解除されると前記係合部（４４／４６）が前記被係合部（２４／２９）から離脱可能とされる
ことを特徴とする［３］に記載の紙幣搬送装置（１０）。
【００２０】
上記発明では、回転部材（５４）のユニット（４０）は、保持部材（４１ａ、４１ｂ）に設けられた係合部（４４／４６）を通路部材（１４）の連結部（１４ａ）に設けられた被係合部（２４／２９）に係合させて取付位置（１４ｂ）にセットされ、通路部材（１４）が連結されると、係合部（４４／４６）を被係合部（２４／２９）に係合させた状態で通路部材（１４）に固定される。また通路部材（１４）が連結解除されると、係合部（４４／４６）を被係合部（２４／２９）から離脱できるようになって通路部材（１４）から取り外せるようになる。これにより、回転部材（５４）のユニット（４０）を通路部材（１４）に固定するための固定手段などが不要となって取付構造を簡素化でき、また固定手段による固定／解除作業が不要となって着脱作業が容易になる。
【００２１】
［５］前記ユニット（４０）が前記通路部材（１４）に取り付けられると前記保持部材（４１ａ、４１ｂ）の外面によって前記紙幣搬送路（１５）の路面の一部が構成され、
前記保持部材（４１ａ、４１ｂ）の外面には、前記紙幣（Ｎ）が進入する先端部が前記紙幣搬送路（１５）の路面に対して凹陥され、その先端部から前記紙幣（Ｎ）の搬送方向へ向けて凸側へ傾斜するように傾斜面（４３ａ、４３ｂ／４８ａ、４８ｂ）が設けられている
ことを特徴とする［３］または［４］に記載の紙幣搬送装置（１０）。
【００２２】
上記発明では、回転部材（５４）のユニット（４０）を通路部材（１４）に取り付けると、保持部材（４１ａ、４１ｂ）の外面によって紙幣搬送路（１５）の路面の一部が構成される。そして、保持部材（４１ａ、４１ｂ）の外面には、紙幣（Ｎ）が進入する先端部が紙幣搬送路（１５）の路面に対して凹陥し、その先端部から紙幣（Ｎ）の搬送方向へ向けて凸側へ傾斜するように傾斜面（４３ａ、４３ｂ／４８ａ、４８ｂ）が設けられているため、紙幣搬送路（１５）に沿って搬送される紙幣（Ｎ）は、紙幣搬送路（１５）と保持部材（４１ａ、４１ｂ）の繋ぎ目に引っ掛かることなくスムーズにこの繋ぎ目を通過するようになる。
【００２３】
［６］前記回転部材（５４）を、前記搬送ベルト（１１）を上下から臨むようにして設けることに代えて、前記搬送ベルト（１１）を上から臨むようにして設けた
ことを特徴とする［２］に記載の紙幣搬送装置（１０）。
【００２４】
上記発明では、搬送ベルト（１１）が上側の回転部材（５４）によって下方向に押圧されるので、搬送ベルト（１１）の上方向への相対的な位置ずれを抑制することができ、搬送ベルト（１１）によって搬送される紙幣（Ｎ）の姿勢の乱れを軽減することができる。また搬送ベルト（１１）が搬送ローラ（３８）と非接触となるので、搬送ローラ（３８）の消耗を極力減らし搬送ローラ（３８）の寿命を延ばすことができる。
【００２５】
［７］前記回転部材（５４）は、前記搬送ベルト（１１）と非接触で配設されている
ことを特徴とする［１］乃至［６］のいずれか１項に記載の紙幣搬送装置（１０）。
【００２６】
上記発明では、回転部材（５４）を搬送ベルト（１１）と非接触で配設することで、通路部材（１４）（上側／下側フレーム（２０ａ／２０ｂ））の連結部（１４ａ）が上下方向への位置ずれを起こした場合、あるいは搬送ベルト（１１）が弛んだ場合のみ、搬送ベルト（１１）が上下各々の回転部材（５４）に接触されるようになり、回転部材（５４）を搬送ベルト（１１）に常時接触させないことで、搬送ベルト（１１）および回転部材（５４）の摩耗が低減し寿命を延ばすことができる。
【発明の効果】
【００２７】
本発明に係る紙幣搬送装置によれば、通路部材における上側フレームと下側フレームの連結部が下降することにより撓みが発生し、上側フレームと下側フレームとの間を通る搬送ベルトの位置が上方向にずれようとしても、搬送ベルトが上側の回転部材に接触し、直に上側フレームに接触することはなく、また搬送ベルトが弛んでも下側の回転部材に接触し直に下側フレームに接触することがないので、搬送ベルトが傷むことはない。また搬送ベルトの上下に配設した回転部材によって搬送ローラと搬送ベルトとの相対的な位置ずれが抑えられるので、搬送ベルトによって搬送される紙幣の姿勢の乱れを軽減することができる。
【００２８】
また搬送ベルトが搬送ローラと非接触となるので、搬送ローラの消耗を極力減らし搬送ローラの寿命を延ばすことができる。
【００２９】
さらに、回転部材と、回転部材を回転可能に支持する軸部材と、回転部材を軸部材に支持された状態で保持する保持部材と、を一つのユニットにしたものでは、回転部材をユニット単位で通路部材に取り付けることができ取付作業が容易になる。また、回転部材が摩耗して交換を行う場合なども、通路部材からユニット単位で取り外し交換することができるため、交換作業も容易になる。
【００３０】
さらに、上記ユニットの保持部材に係合部を設けると共に、通路部材の連結部に係合部が係合される被係合部を設け、ユニットは、通路部材が連結されると係合部が被係合部に係合された状態で通路部材に固定され、通路部材が連結解除されると係合部が被係合部から離脱可能に構成したものでは、回転部材のユニットを通路部材に固定するための固定手段などが不要となって取付構造を簡素化でき、また固定手段による固定／解除作業が不要となって着脱作業が容易になる。
【００３１】
さらに、上記ユニットが通路部材に取り付けられると保持部材の外面によって紙幣搬送路の路面の一部が構成され、保持部材の外面には、紙幣が進入する先端部が紙幣搬送路の路面に対して凹陥され、その先端部から紙幣の搬送方向へ向けて凸側へ傾斜するように傾斜面を設けたものでは、紙幣搬送路に沿って搬送される紙幣は、紙幣搬送路と保持部材の繋ぎ目に引っ掛かることなくスムーズにこの繋ぎ目を通過するようになる。
【００３２】
さらに、回転部材を搬送ベルトと非接触で配設したものでは、搬送ベルトおよび回転部材の摩耗が低減し寿命を延ばすことができる。
【発明を実施するための最良の形態】
【００３３】
以下、図面に基づき本発明の各種実施の形態を説明する。
【００３４】
図１は、本発明の実施の形態に係る紙幣搬送装置１０の設置された遊技機島２の内部構造を示す正面図であり、図２は、遊技機島２に設置された紙幣搬送装置１０およびその関連機器の配置状態を示す上面図であり、図３は、遊技機島２の内部構造を図１のＡ−Ａ´断面にて示す側断面図である。
【００３５】
遊技機島２は、遊技ホールのフロア上に構築したフレームにパチンコ機などの遊技機３と遊技媒体貸機４とを一組にしたものを多数背中合わせにして表裏面に並設収容している。
【００３６】
遊技媒体貸機４は、遊技機３で使用されるパチンコ球などの遊技媒体を、正面上部の紙幣投入口４ａから投入される紙幣や図示しない貨幣投入口から投入される貨幣の金額に応じて遊技者に貸し出す装置である。背中合わせにして設置された遊技媒体貸機４の背面間における上部側には、各遊技媒体貸機４の背面から排出された紙幣を遊技機島２の側面上部側に配設された紙幣収納装置５まで搬送する紙幣搬送装置１０が遊技機島２の長手方向に沿って延設されており、遊技媒体貸機４の背面間における下部側には、各遊技媒体貸機４の背面から排出された貨幣を遊技機島２の側面下部側に配設された貨幣収納装置６まで搬送する貨幣搬送装置７が遊技機島２の長手方向に沿って延設されている。
【００３７】
図２および図３に示すように、遊技媒体貸機４の背面には、紙幣搬送装置１０を取り付けるための取付クランプ８が設けられている。取付クランプ８は、縦断面がコ字状に形成されたクランプ本体８ａを備えており、クランプ本体８ａの上下に対向して水平に延出された腕部には、延出方向に沿った長孔８ｂ（図２参照）が形成されている。各腕部の対向する内面には、一対の押圧プレート８ｃが配設されており、押圧プレート８ｃは、長孔８ｂを挿通した調整ねじ８ｄに螺合されて、クランプ本体８ａの腕部内面に取り付けられている。調整ねじ８ｄは、汎用の蝶ボルトなどとされており、ねじ頭部を手で直接摘んで回転操作できるようになっている。
【００３８】
この取付クランプ８では、上下に対向する一対の押圧プレート８ｃは調整ねじ８ｄと共に長孔８ｂに沿ってクランプ本体８ａの腕部の延出方向である水平方向（図７および図８の矢印Ｙ方向）へスライド可能とされ、調整ねじ８ｄが締め方向または緩め方向へ回転されることで上下方向（図７および図８の矢印Ｚ方向）の間隔が変更される。
【００３９】
そして紙幣搬送装置１０は、取付クランプ８の内側にセットされてフレームの上下が一対の押圧プレート８ｃに挟まれ、調整ねじ８ｄの回転操作で押圧プレート８ｃの間隔が狭められることにより、押圧プレート８ｃから押圧力を受けて取付クランプ８にクランプ固定される。また、押圧プレート８ｃの間隔が広げられるとクランプ解除されて取付クランプ８から取り外すことができる。
【００４０】
図４は紙幣搬送装置１０の主要な構成（搬送ユニット３０を取り外した状態）を示す正面図、図５は紙幣搬送装置１０に設けられた搬送ベルト１１の架設状態を示す正面図、図６は紙幣搬送装置１０に設けられた通路部材１４を構成する上側フレーム２０ａおよび下側フレーム２０ｂの連結部１４ａ付近（図４のＢ部）を示す拡大図である。また、図７は紙幣搬送装置１０に設けられた通路部材１４の内部構造を図６のＣ−Ｃ´断面にて示す側断面図、図８は通路部材１４の内部構造を図６のＤ−Ｄ´断面にて示す側断面図である。
【００４１】
紙幣搬送装置１０は、遊技媒体貸機４から送り込まれた紙幣を紙幣収納装置５へ搬送する装置であり、図４および図５に示すように、紙幣Ｎを搬送する搬送ベルト１１と、搬送ベルト１１が掛け渡された駆動部１２および従動部１３と、搬送ベルト１１によって紙幣Ｎを搬送するための紙幣搬送路１５（図７および図８参照）を構成する複数の通路部材１４とを備えている。
【００４２】
駆動部１２は、遊技機島２の長手方向(図５の矢印Ｘ方向)における一方の側端部に立設されたフレーム２ａに取り付けられている。駆動部１２には、図示しないモータにより所定の方向（図５の矢印ＲＡ方向）へ回転駆動される駆動プーリ１２ａと、図示しない付勢機構により上方へ付勢されて搬送ベルト１１の張力を調整する補助プーリ１２ｂとが設けられている。
【００４３】
従動部１３は、遊技機島２の長手方向における他方の側端部に立設されたフレーム２ｂに取り付けられており、従動部１３には、駆動プーリ１２ａと同じ方向へ回転可能とされた従動プーリ１３ａが設けられている。
【００４４】
搬送ベルト１１は、無端で断面形状が円形の丸ベルトとされており（図７および図８参照）、一端側が駆動部１２の駆動プーリ１２ａに巻き掛けられ、他端側が従動部１３の従動プーリ１３ａに巻き掛けられて、駆動プーリ１２ａおよび従動プーリ１３ａに両端を支持されている。また駆動プーリ１２ａ側への巻き掛け部近傍では、下側の搬送ベルト１１が補助プーリ１２ｂにより上側へ押圧されており、この押圧によって搬送ベルト１１は一定の張力で遊技機島２の長手方向に架設されている。
【００４５】
通路部材１４は、搬送ベルト１１に沿って複数個が連結される連結方式とされており、図７および図８に示すように、搬送ベルト１１の上側に配置される上側フレーム２０ａと、搬送ベルト１１の下側に配置される下側フレーム２０ｂと、上側フレーム２０ａおよび下側フレーム２０ｂの両側部に取り付けられた一対の搬送ユニット３０とを備えている。
【００４６】
上側フレーム２０ａと下側フレーム２０ｂとは、同一の構成で共通化されており、上下が逆の向きに配置されている。以下、両フレームの構成については上側フレーム２０ａを用いて説明する。
【００４７】
図８に示すように、上側フレーム２０ａ（下側フレーム２０ｂ）は、第１フレーム２１と第２フレーム２５とが組み合わせられて構成されている。
【００４８】
第１フレーム２１は、たとえばアルミニウム合金などの軽量かつ高剛性の金属材料で所定の長さ寸法に形成されており、上段部分に凹状部２２、中段部分に固定部２３、下段部分に嵌合凸部２４が設けられた上下３段構造とされている。
【００４９】
上段部分の凹状部２２は、上壁面の中央部が開口した断面略凹状とされ、第１フレーム２１の長手方向に沿って延設されている。また、凹状部２２の内部には連結棒２２ａが挿入されている。中段部分の固定部２３は、第１フレーム２１の幅方向（図７および図８の矢印Ｙ方向）における側壁面の中央部が開口した断面略コ字状とされ、第１フレーム２１の幅方向両側にそれぞれ設けられて第１フレーム２１の長手方向に沿って延設されている。下段部分の嵌合凸部２４は、固定部２３の下壁面から下方へ突出した断面略ハ字形とされ、第１フレーム２１の長手方向に沿って延設されている。
【００５０】
第２フレーム２５は、たとえばアルミニウム合金や樹脂材料などで第１フレーム２１よりも長手方向が所定の寸法だけ短く形成されており、上段部分に嵌合凹部２６、中段部分に接続壁部２７、下段部分に隔壁部２８が設けられた上下３段構造とされている。
【００５１】
上段部分の嵌合凹部２６は、第１フレーム２１の嵌合凸部２４に対応して、上壁面の中央部が開口した断面略凹状とされ、上壁面には第２フレーム２５の幅方向（図７および図８のＹ方向）両側へ突出した突壁部２６ａが形成されて、第２フレーム２５の長手方向に沿って延設されている。中段部分の接続壁部２７は、嵌合凹部２６の下壁面中央部から下方へ向けて突出した断面方形状の縦壁であり、第２フレーム２５の長手方向に沿って延設されている。下段部分の隔壁部２８は、接続壁部２７の下端部から下方へ向けて延出すると共に、厚さ方向（第２フレーム２５の幅方向）における中央部に深溝状のスリット溝２９が形成された断面形状が二股状の縦壁であり、接続壁部２７を介し嵌合凹部２６の下壁面中央部に接続され、接続壁部２７と共に第２フレーム２５の長手方向に沿って延設されている。
【００５２】
上記の第１フレーム２１と第２フレーム２５とは、両フレームを長手方向に相対移動させて嵌合凸部２４と嵌合凹部２６とを嵌め合せることにより組み合わせられ、一つの上側フレーム２０ａ（下側フレーム２０ｂ）を構成している。また、組み合わせた両フレームの一方の端部を揃えることで、他方の端部には、後述するジョイントローラユニット４０を取り付けるための切り欠き状（段差状）の部分が形成されている（図６参照）。
【００５３】
第１フレーム２１および第２フレーム２５が組み合わせられて構成された上側フレーム２０ａと下側フレーム２０ｂとは、遊技機島２の長手方向に架設された上側の搬送ベルト１１を挟み、互いの隔壁部２８の先端部を対向させて上下に配置され、図示しない取付部材を介して所定の間隔に保たれて組み立てられている。
【００５４】
図８に示すように、上側フレーム２０ａおよび下側フレーム２０ｂの両側部に取り付けられた搬送ユニット３０は、プレート３１と、ローラブラケット３６と、搬送ローラ３８とを備えている。
【００５５】
プレート３１は、たとえば透明樹脂材料などで所定の長さおよび高さ寸法に形成されており、高さ方向（図７および図８の矢印Ｚ方向）における中央部分が上部および下部に対して表面側から裏面側へ段状に突出した断面形状（凸板状）に形成されている。このプレート３１の裏面側へ段状に突出した凸部３２の中央部には、搬送ベルト１１に対応する高さ位置に開口３３が形成されており、開口３３は搬送ベルト１１の架設方向に沿って所定の間隔で複数形成されている。凸部３２の上端部と下端部には、端縁（プレート３１の長さ方向）に沿ってリブ３４が各々延設されている。凸部３２の上側となるプレート３１の上部には、第１フレーム２１の固定部２３に対応する固定孔３５が形成されており、固定孔３５は固定部２３の延設方向に沿って所定の間隔で複数形成されている。
【００５６】
ローラブラケット３６は、たとえば鋼板などの金属板材を使用して、断面形状がコ字状となるように屈曲形成されている。ローラブラケット３６は図示しないアース線を介して接地されている。
【００５７】
搬送ローラ３８は、たとえば耐摩耗性の高い合成樹脂材料などで形成され、外周面に断面Ｕ字状の周溝３９が設けられたプーリー形状とされており、ローラブラケット３６の内側に配置されて、図示しないローラ軸を介しローラブラケット３６に回転可能に取り付けられている。ローラブラケット３６の底面側の反対側では、搬送ローラ３８の一部がローラブラケット３６の外側へ突出している。
【００５８】
上記の搬送ローラ３８を保持したローラブラケット３６は、搬送ローラ３８の軸心を略垂直にした向きで、ローラブラケット３６内から外側へ突出している搬送ローラ３８の突出部をプレート３１の表面側から開口３３に挿通させて、開口３３の縁部に取り付けられている。この搬送ローラ３８の突出部は、開口３３を通してプレート３１の裏面側へ突出している。
【００５９】
上記構成の搬送ユニット３０は、プレート３１の裏面の凸部３２とその上下端部のリブ３４を上側フレーム２０ａおよび下側フレーム２０ｂの突壁部２６ａの間に嵌め込んで、両フレームに対する上下方向の取付位置を定め、プレート３１の表面側から固定孔３５に図示しないナイロンリベットの先端部を挿通して上側フレーム２０ａの固定部２３に係止させることで、上側フレーム２０ａと下側フレーム２０ｂとの各側部に跨って取り付け固定されている。
【００６０】
通路部材１４は、搬送ユニット３０が上側フレーム２０ａおよび下側フレーム２０ｂの両側部に取り付けられることで完成し、その内部には、上側フレーム２０ａおよび下側フレーム２０ｂの各第２フレーム２５と両側の搬送ユニット３０との間に、搬送ベルト１１に沿った２本の紙幣搬送路１５が形成されている。また、搬送ユニット３０に設けられた搬送ローラ３８は、搬送ベルト１１の側方に非接触で近接配置されると共に、周溝３９が搬送ベルト１１の周面にオーバーラップするようにして配置されている。
【００６１】
図４〜図６に示すように、通路部材１４の長手方向にける側端部は、通路部材１４同士が連結される連結部１４ａとなっており、通路部材１４の一方の連結部１４ａには、搬送ベルト１１を挟んで上下に２つのジョイントローラユニット４０が取り付けられている。ジョイントローラユニット４０は、通路部材１４の正面側から見ると、図６に示すように、通路部材１４の一方の連結部１４ａに設けられた切り欠き状（段差状）の部分に嵌め込まれて取り付け固定されている。
【００６２】
図９はジョイントローラユニット４０を示す分解斜視図であり、図１０はジョイントローラユニット４０を示す斜視図である。
【００６３】
図９に示すように、ジョイントローラユニット４０は、一対の保持部材４１ａ、４１ｂと、ローラ支持軸５１と、ジョイントローラ５４とを備えている。
【００６４】
保持部材４１ａ、４１ｂは、たとえば樹脂材料などで形成されており、互いに面接合される壁体部４２ａ、４２ｂを備えている（図１０参照）。壁体部４２ａ、４２ｂの表面（外面）の長手方向における一方の側部には、傾斜面４３ａ、４３ｂが設けられており、傾斜面４３ａ、４３ｂは側端部（先端部）から中央側へ向けて凸側へ傾斜している。
【００６５】
壁体部４２ａ、４２ｂの両側部には、平板状の平板部４４ａ、４４ｂが突設されている。傾斜面４３ａ、４３ｂ側に配置された平板部４４ａ、４４ｂは、表面が傾斜面４３ａ、４３ｂと段差無く繋がっており、反対側の平板部４４ａ、４４ｂは、壁体部４２ａ、４２ｂの表面との間に段差が設けられている。図１０に示すように、壁体部４２ａ、４２ｂを面接合すると、平板部４４ａ、４４ｂが各々重なり合って１枚の差込板４４となり、保持部材４１ａ、４１ｂの両側部には差込板４４が１枚ずつ形成される。この差込板４４は、第２フレーム２５の隔壁部２８に形成されたスリット溝２９（被係合部）に係合する係合部となる。
【００６６】
壁体部４２ａ、４２ｂの上側には、壁体部４２ａ、４２ｂの上端部から表面側へクランク状に屈曲して延出した屈曲部４５ａ、４５ｂが設けられており、屈曲部４５ａ、４５ｂの上端部は表面側へ突出した突壁部４７ａ、４７ｂとされている。また、屈曲部４５ａ、４５ｂの表面（外面）における一方（壁体部４２ａ、４２ｂの傾斜面４３ａ、４３ｂと同じ側）の側部には、傾斜面４８ａ、４８ｂが設けられており、傾斜面４８ａ、４８ｂは側端部（先端部）から中央側へ向けて凸側へ傾斜している。
【００６７】
図１０に示すように、壁体部４２ａ、４２ｂを面接合すると、対向して配置された屈曲部４５ａ、４５ｂによって、上壁面の中央部が開口した断面略凹状の嵌合凹部４６が形成される。この嵌合凹部４６は、屈曲部４５ａ、４５ｂの突壁部４７ａ、４７ｂを含め、第２フレーム２５の突壁部２６ａを含む嵌合凹部２６と同じ断面形状とされており、第１フレーム２１の嵌合凸部２４（被係合部）に係合する係合部となる。
【００６８】
壁体部４２ａ、４２ｂの接合面（裏面）には、ジョイントローラ５４が収納される収納部４９が凹設されている（壁体部４２ａ側の収納部４９は不図示）。収納部４９は下部側が開放されており、収納部４９の底面における略中央部には、ローラ支持軸５１が嵌め入れられる嵌入孔５０が形成されている（壁体部４２ａ側の嵌入孔５０は不図示）。この嵌入孔５０は、有底で孔形状が樽状とされている。
【００６９】
ローラ支持軸５１は、たとえば鋼鉄などの金属材料で形成されており、両端部には断面形状が嵌入孔５０に対応する樽状とされた嵌入部５２が設けられ、嵌入部５２の間が円周面の軸部５３とされている。
【００７０】
ジョイントローラ５４は、耐摩耗性の高い合成樹脂材料などで形成され、外周面に周溝５５が設けられたプーリー形状とされており、軸心部にはローラ支持軸５１の軸部５３に対応する円形の貫通孔５６が形成されている。
【００７１】
ジョイントローラユニット４０は、ジョイントローラ５４の貫通孔５６にローラ支持軸５１が挿通され、ローラ支持軸５１の嵌入部５２が保持部材４１ａ、４１ｂの嵌入孔５０に嵌め入れられて保持部材４１ａ、４１ｂが接合されることにより組み立てられている（図１０参照）。このジョイントローラユニット４０は、ジョイントローラ５４がローラ支持軸５１の軸部５３に回転可能に支持されて保持部材４１ａ、４１ｂに保持され、ジョイントローラ５４の一部が保持部材４１ａ、４１ｂの下端面から突出している。
【００７２】
上記構成のジョイントローラユニット４０は、通路部材１４の連結部１４ａの上部側では、ジョイントローラ５４を下向きにして搬送ベルト１１に対向させ、また連結部１４ａの下部側では、ジョイントローラ５４を上向きにして搬送ベルト１１に対向させて取り付けられている。
【００７３】
ジョイントローラ５４を取り付けるには、第１フレーム２１の嵌合凸部２４に、傾斜面４３ａ、４３ｂとは反対の差込板４４側から嵌合凹部４６を嵌め合わせて挿入し、そのまま差込板４４を第２フレーム２５の隔壁部２８に形成されたスリット溝２９に差し込み（図６および図７参照）、さらにこの通路部材１４の連結部１４ａに他の通路部材１４を連結して、傾斜面４３ａ、４３ｂ側の差込板４４を連結相手の通路部材１４（第２フレーム２５）の隔壁部２８に形成されたスリット溝２９に差し込む。
【００７４】
詳細には、ジョイントローラユニット４０は、取付対象となる通路部材１４の第１フレーム２１の嵌合凸部２４（被係合部）に、保持部材４１ａ、４１ｂの嵌合凹部４６（係合部）を嵌合（係合）させると共に、取付対象となる通路部材１４の第２フレーム２５のスリット溝２９（被係合部）に、保持部材４１ａ、４１ｂの一方の差込板４４（係合部）を嵌合（係合）させ、さらに、その通路部材１４の連結相手の通路部材１４の第２フレーム２５のスリット溝２９（被係合部）に、保持部材４１ａ、４１ｂの他方の差込板４４（係合部）を嵌合（係合）させた状態で、取付対象となる通路部材１４の第２フレーム２５の側端部と、連結相手の通路部材１４の第２フレーム２５の側端部とに挟まれた状態で取り付け固定される。
【００７５】
ジョイントローラユニット４０を通路部材１４に取り付けると、保持部材４１ａ、４１ｂ（壁体部４２ａ、４２ｂおよび屈曲部４５ａ、４５ｂ）の表面によって紙幣搬送路１５の路面の一部が構成され、傾斜面４３ａ、４３ｂおよび傾斜面４８ａ、４８ｂは、搬送ベルト１１によって搬送される紙幣Ｎが保持部材４１ａ、４１ｂに対して進入する側に配置される。
【００７６】
これにより、傾斜面４３ａ、４３ｂおよび傾斜面４８ａ、４８ｂは、先端部が紙幣搬送路１５の路面に対して凹陥した状態となり、その先端部から紙幣搬送方向へ向けて凸側へ傾斜した傾斜面となっている。
【００７７】
ところで、遊技媒体貸機４に対する取付クランプ８の取り付け高さや押圧プレート８ｃの各々の高さ位置を変えることで通路部材１４の設置高さが調整されると共に、押圧プレート８ｃを水平方向にスライドさせて通路部材１４の水平方向の位置を調整することにより、通路部材１４とは独立して架設された搬送ベルト１１と、通路部材１４（搬送ユニット３０）に設けられた搬送ローラ３８との相対的な高さや隙間が調整される。
【００７８】
また、通路部材１４の連結設置は、連結する上側フレーム２０ａの凹状部２２に連結棒２２ａを互いの凹状部２２に跨がるように挿入して、連結する上側フレーム２０ａ同士の上下方向および水平方向の位置を合わせつつ、上側フレーム２０ａおよび下側フレーム２０ｂを搬送ベルト１１に沿って連結しながら取付クランプ８で固定し、上側フレーム２０ａおよび下側フレーム２０ｂの両側部に搬送ユニット３０を取り付ける手順で行われる。
【００７９】
紙幣搬送装置１０では、この搬送ベルト１１に沿って連結された複数の通路部材１４によって、通路部材１４の内部に搬送ベルト１１に沿った２本の紙幣搬送路１５が延設され（図５、図７および図８参照）、搬送ベルト１１の両側方には搬送ベルト１１に沿って複数の搬送ローラ３８が所定の間隔で配置されている（図８参照）。通路部材１４の連結部１４ａ近傍には、搬送ベルト１１を上下から臨むようにしてジョイントローラ５４が設けられ、各ジョイントローラ５４は搬送ベルト１１と非接触で配設されている（図７参照）。また、下側フレーム２０ｂを構成する第１フレーム２１の凹状部２２には、下側に位置する搬送ベルト１１が収納されている（図７および図８参照）。
【００８０】
次に、紙幣搬送装置１０の動作と作用を説明する。
【００８１】
遊技機島２に設置した紙幣搬送装置１０を作動させると、図５に示す駆動部１２ではモータによって駆動プーリ１２ａが回転し（図５の矢印ＲＡ方向）、搬送ベルト１１は駆動プーリ１２ａと同じ方向へ駆動する（図５の矢印Ｍ方向）。この搬送ベルト１１の駆動に伴い従動プーリ１３ａは従動回転する（図５の矢印ＲＢ方向）。
【００８２】
遊技媒体貸機４に投入された紙幣Ｎは、短辺が略垂直となる姿勢で遊技媒体貸機４から紙幣搬送装置１０の通路部材１４の紙幣搬送路１５に送り込まれる。さらに紙幣Ｎは、図８に示すように、紙幣搬送路１５の底面を構成する下側フレーム２０ｂの第２フレーム２５の突壁部２６ａに自重で当接することで姿勢が整えられ、高さ方向（短辺）の中央部分が上側の搬送ベルト１１の周面と搬送ローラ３８の周溝３９に挟まれて搬送ベルト１１に巻き付くように圧接し、その状態で搬送ベルト１１により搬送ローラ３８との間を紙幣搬送路１５に沿って搬送ベルト１１の駆動方向へ搬送される（図５参照）。搬送ローラ３８は、搬送ベルト１１と非接触で配設されているが、搬送ベルト１１との間に紙幣Ｎが介在する場合のみ、搬送ベルト１１の駆動力が紙幣Ｎを介して搬送ローラ３８に伝達され、その駆動力によって搬送ベルト１１の駆動方向へ従動回転する。そして、紙幣搬送路１５を搬送ベルト１１によって搬送される紙幣Ｎは、遊技機島２の側端部に至ると、搬送ベルト１１から剥離され紙幣搬送装置１０から排出されて紙幣収納装置５に回収される。
【００８３】
この紙幣搬送装置１０では、図６に示すように、通路部材１４における上側フレーム２０ａと下側フレーム２０ｂの連結部１４ａが下降することにより撓みが発生し、上側フレーム２０ａと下側フレーム２０ｂとの間を通る搬送ベルト１１の位置が上方向にずれようとした場合は、搬送ベルト１１が上側のジョイントローラ５４に接触し、直に上側フレーム２０ａに接触することはなく、また搬送ベルト１１が弛んだ場合は下側のジョイントローラ５４に接触し、直に下側フレーム２０ｂに接触することがないので、搬送ベルト１１が傷むことはない。
【００８４】
詳細には、上側フレーム２０ａと下側フレーム２０ｂの連結部１４ａが下降した場合は、それに伴い上側フレーム２０ａと下側フレーム２０ｂの側部に取り付けられた搬送ユニット３０の搬送ローラ３８も下降する。また、通路部材１４の連結部１４ａ近傍に設けられた上側のジョイントローラ５４は、連結部１４ａの下降に伴い、連結部１４ａと一体となって下方へ移動し、搬送ベルト１１に接触して搬送ベルト１１を押し下げる。このジョイントローラ５４による押し下げによって搬送ベルト１１も下降する。これにより、予め非接触で配置された搬送ベルト１１と搬送ローラ３８の間に隙間Ｓ（図６参照）が確保されて非接触状態が保たれる。また搬送ベルト１１が搬送ローラ３８と非接触となるので、搬送ローラ３８の消耗を極力減らし搬送ローラ３８の寿命を延ばすことができる。仮に通路部材１４の連結部１４ａが上昇した場合は、それに伴い搬送ローラ３８も上昇するが、搬送ベルト１１を下側から臨むジョイントローラ５４が上方へ移動し搬送ベルト１１を押し上げるため、搬送ベルトも上昇する。こうして、搬送ベルト１１と搬送ローラ３８の上下方向における相対的な位置ずれが抑えられる。
【００８５】
そして特に本実施形態のように、通路部材１４の内部に紙幣搬送路１５を形成するための隔壁部２８を搬送ベルト１１を挟んで上下に設け、隔壁部２８の先端部（上端部／下端部）を搬送ベルト１１に近づけているような場合には、通路部材１４の連結部１４ａが下方向へ位置ずれを起こすと、上側の隔壁部２８の先端部は搬送ベルト１１に接近しようとする。この通路部材１４の連結部１４ａの位置ずれに伴い、上側のジョイントローラ５４が連結部１４ａと一体となって下方向へ動くため、搬送ベルト１１はジョイントローラ５４に押し下げられて、接近しようとする上側の隔壁部２８から逃げる方向へ移動する。これにより、隔壁部２８による搬送ベルト１１への接触が回避され、搬送ベルト１１が隔壁部２８に擦られて摩耗したり損傷したりすることを防止できる。
【００８６】
また、搬送ベルト１１が上側のジョイントローラ５４によって下方向に押圧されるので、搬送ベルト１１の上方向への位置ずれが抑制され、搬送ベルト１１が弛んでも下側のジョイントローラ５４に接触し、下側のジョイントローラ５４によって支持されるので、搬送ベルト１１の下方向への位置ずれが抑制される。
【００８７】
このように、通路部材１４に設けられた搬送ローラ３８と、通路部材１４とは独立して架設された搬送ベルト１１との相対的な位置ずれが抑えられることで、搬送ベルト１１と搬送ローラ３８との間に挟まれて搬送される紙幣Ｎは姿勢の乱れが軽減される。したがって、紙幣詰まりが発生しにくくなる。
【００８８】
また、本実施形態の紙幣搬送装置１０では、通路部材１４を上側フレーム２０ａ、下側フレーム２０ｂ、および一対の搬送ユニット３０（プレート３１）の分割構造にしていることで、たとえば一体構造として複雑な形状にする場合に比べて、各部品を単純な形状にすることができる。そのため、通路部材１４を構成する個々の部品の製造性が良好になって装置コストが抑えられる。
【００８９】
また、取付クランプ８の調整ねじ８ｄ（蝶ボルト）を手で直接摘んで回転操作することで、通路部材１４の連結固定や搬送ベルト１１に対する搬送ローラ３８の位置調整が行え、さらに、搬送ユニット３０を上側フレーム２０ａと下側フレーム２０ｂの両側部にナイロンリベットを用いて手作業で取り付けられることから、通路部材１４の施工性や解体性は良好となり、搬送ベルト１１に対する搬送ローラ３８の位置調整も容易となる。
【００９０】
反面、通路部材１４を構成する部品の点数が増えることで、遊技機島２への設置時には各部品が適正な位置関係とされていても、設置後の振動（たとえば、メンテナンスのための遊技機開閉時の振動）などによる各部品の経時的な位置ずれが起こりやすくなり、搬送ユニット３０のプレート３１に取り付けられた搬送ローラ３８は搬送ベルト１１に対して位置ずれを起こしやすくなるが、このような分割構造の通路部材１４においても、連結部１４ａの近傍に設けたジョイントローラ５４によって搬送ローラ３８と搬送ベルト１１の相対的な位置ずれが抑えられるため好適である。
【００９１】
また、搬送ベルト１１に接触するジョイントローラ５４は、搬送ベルト１１に転がり接触し、搬送ベルト１１から伝達される駆動力によって搬送ベルト１１の駆動方向へ従動回転する。そのため、搬送ベルト１１はジョイントローラ５４から受ける摩擦抵抗（摩擦力）が小さくされて円滑に駆動でき、このジョイントローラ５４の接触（押圧）の影響による搬送ベルト１１の耐久性の低下も抑えられる。また、本実施形態では、ジョイントローラユニット４０の厚さ寸法を隔壁部２８の厚さ寸法に合わせるために、ジョイントローラ５４を薄くする必要があるが、ジョイントローラ５４をプーリー形状としていることで、製造ばらつきなどにより搬送ベルト１１に対してジョイントローラ５４が厚さ方向に多少位置ずれを起こしても、ジョイントローラ５４の周溝５５が搬送ベルト１１の周面に嵌合することで、薄型のジョイントローラ５４であっても搬送ベルト１１を確実に押圧することができる。
【００９２】
また、ジョイントローラ５４は、ジョイントローラ５４を回転可能に支持するローラ支持軸５１と、ジョイントローラ５４をローラ支持軸５１に支持された状態で保持する一対の保持部材４１ａ、４１ｂと共に一つのユニット（ジョイントローラユニット４０）にしたことで、ユニット単位で通路部材１４に取り付けられるようになり、たとえば、ジョイントローラ５４とローラ支持軸５１とを個別に通路部材１４に取り付けるよりも、取付作業が容易になる。また、ジョイントローラ５４が摩耗して交換を行う場合なども、通路部材１４からユニット単位で取り外し交換することができるため、交換作業も容易になる。
【００９３】
さらに、ジョイントローラユニット４０は、通路部材１４の取付部１４ｂに嵌め込まれ、その通路部材１４の連結部１４ａに他の通路部材１４が連結されて取り付けられると、嵌合凹部４６による嵌合凸部２４への嵌合と、両側の差込板４４による各スリット溝２９への嵌合とが解除不能となって通路部材１４に固定される。また通路部材１４が連結解除されると、ジョイントローラユニット４０は、嵌合凹部４６が嵌合凸部２４から離脱でき、差込板４４がスリット溝２９から離脱できるようになって通路部材１４から取り外せるようになる。これにより、ジョイントローラユニット４０を通路部材１４に固定するための固定手段などが不要となって取付構造を簡素化でき、また固定手段による固定／解除作業が不要となって着脱作業が容易になる。
【００９４】
また、ジョイントローラユニット４０を通路部材１４に取り付けると保持部材４１ａ、４１ｂの表面（壁体部４２ａ、４２ｂおよび屈曲部４５ａ、４５ｂの表面）によって紙幣搬送路１５の路面の一部が構成されるが、この保持部材４１ａ、４１ｂの表面には、紙幣Ｎが進入する先端部が紙幣搬送路１５の路面に対して凹陥し、その先端部から紙幣Ｎの搬送方向へ向けて凸側へ傾斜するように傾斜面（傾斜面４３ａ、４３ｂおよび傾斜面４８ａ、４８ｂ）を設けていることで、紙幣搬送路１５に沿って搬送される紙幣Ｎが保持部材４１ａ、４１ｂを通過する際は、紙幣搬送路１５と保持部材４１ａ、４１ｂの繋ぎ目に引っ掛かることなくスムーズに通過するようになる。
【００９５】
また、ジョイントローラ５４を搬送ベルト１１と非接触で配設していることで、通路部材１４（上側／下側フレーム）の連結部１４ａが上下方向への位置ずれを起こした場合、あるいは搬送ベルト１１が弛んだ場合のみ、搬送ベルト１１は上下各々のジョイントローラ５４に接触されるようになる。このように、ジョイントローラ５４は搬送ベルト１１に常時接触しないことで、搬送ベルト１１およびジョイントローラ５４の摩耗が抑えられて長寿命化が図られるようになる。
【００９６】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９７】
たとえば、実施の形態では、通路部材１４の連結部１４ａの近傍に、搬送ベルト１１を上下から臨むようにしてジョイントローラ５４を設けているが、ジョイントローラ５４は搬送ベルト１１の下側には設けずに上側のみに設けるようにしてもよい。
【００９８】
ジョイントローラ５４として例示した回転部材については、搬送ベルト１１に従動回転して転がり接触する（低摩擦）ものであればよく、実施の形態のような外周溝が設けられたプーリー形状のローラの他に、外周溝の無い円筒形状のローラやベアリング状の回転体などを使用してもよい。また、ジョイントローラ５４（回転部材）は搬送ベルト１１に対し非接触で近接配置しているが、接触させて配置してもよい。搬送ローラ３８についても同様に、搬送ベルト１１に対し非接触で近接配置しているが、接触させて配置してもよい。
【００９９】
また、通路部材１４は、上下や左右に２分割又は４分割されるような複数の壁状構造体（フレームやパネルなど）により構成されてもよく、樹脂成形品などで筒状の一体構造にされてもよい。
【０１００】
また、表裏面に遊技媒体貸機４を有する遊技機島２を例示したが、一方の面のみに遊技媒体貸機４や遊技機３が配設される遊技機島に対しても本発明の紙幣搬送装置１０は適用可能である。
【０１０１】
このほか実施の形態では、パチンコ機の設置された遊技機島２を例示したが、遊技機の種類はこれに限定されず、スロットマシーンなどでもかまわない。
【図面の簡単な説明】
【０１０２】
【図１】本発明の実施の形態に係る紙幣搬送装置の設置された遊技機島の内部構造を示す正面図である。
【図２】本発明の実施の形態に係る紙幣搬送装置とその関連機器の遊技機島内での配置状態を示す上面図である。
【図３】本発明の実施の形態に係る紙幣搬送装置の設置された遊技機島の内部構造を図１のＡ−Ａ´断面にて示す側断面図である。
【図４】本発明の実施の形態に係る紙幣搬送装置の主要な構成を示す正面図である。
【図５】本発明の実施の形態に係る紙幣搬送装置の搬送ベルトの架設状態を示す正面図である。
【図６】本発明の実施の形態に係る通路部材の連結部付近（図４のＢ部）を示す拡大図である。
【図７】本発明の実施の形態に係る通路部材の内部構造を図６のＣ−Ｃ´断面にて示す側断面図である。
【図８】本発明の実施の形態に係る通路部材の内部構造を図６のＤ−Ｄ´断面にて示す側断面図である。
【図９】本発明の実施の形態に係るジョイントローラユニットを示す分解斜視図である。
【図１０】本発明の実施の形態に係るジョイントローラユニットを示す斜視図である。
【符号の説明】
【０１０３】
２…遊技機島
３…遊技機
４…遊技媒体貸機
４ａ…紙幣投入口
５…紙幣収納装置
６…貨幣収納装置
７…貨幣搬送装置
８…取付クランプ
８ａ…クランプ本体
８ｂ…長孔
８ｃ…押圧プレート
８ｄ…調整ねじ
１０…紙幣搬送装置
１１…搬送ベルト
１２…駆動部
１２ａ…駆動プーリ
１２ｂ…補助プーリ
１３…従動部
１３ａ…従動プーリ
１４…通路部材
１４ａ…連結部
１５…紙幣搬送路
２０ａ…上側フレーム
２０ｂ…下側フレーム
２１…第１フレーム
２２…凹状部
２２ａ…連結棒
２３…固定部
２４…嵌合凸部
２５…第２フレーム
２６…嵌合凹部
２６ａ…突壁部
２７…接続壁部
２８…隔壁部
２９…スリット溝
３０…搬送ユニット
３１…プレート
３２…凸部
３３…開口
３４…リブ
３５…固定孔
３６…ローラブラケット
３８…搬送ローラ
３９…周溝
４０…ジョイントローラユニット
４１ａ、４１ｂ…保持部材
４２ａ、４２ｂ…壁体部
４３ａ、４３ｂ…傾斜面
４４…差込板
４４ａ、４４ｂ…平板部
４５ａ、４５ｂ…屈曲部
４６…嵌合凹部
４７ａ、４７ｂ…突壁部
４８ａ、４８ｂ…傾斜面
４９…収納部
５０…嵌入孔
５１…ローラ支持軸
５２…嵌入部
５３…軸部
５４…ジョイントローラ
５５…周溝
５６…貫通孔
Ｎ…紙幣
【図１】
2008254917.tif 000003
【図２】
2008254917.tif 000004
【図３】
2008254917.tif 000005
【図４】
2008254917.tif 000006
【図５】
2008254917.tif 000007
【図６】
2008254917.tif 000008
【図７】
2008254917.tif 000009
【図８】
2008254917.tif 000010
【図９】
2008254917.tif 000011
【図１０】
2008254917.tif 000012